(57)【要約】      （修正有）【課題】ユーザーの操作負担を軽減させることが可能な遠隔操作装置を提供する。【解決手段】少なくとも１つ以上のボタンスイッチからなる操作部と、音声を入力するためのマイク２と、マイク２を操作するボタンスイッチからなるマイク操作部１０と、マイク２より入力した音声を解析する音声認識制御部と、音声認識制御部の認識結果を送信データに変換する制御部と、状態を表示する表示部６と、送信データを赤外線信号として送信する送信部とを備え、機器を遠隔操作する遠隔操作装置１において、操作部は１度の操作で前記機器を操作可能とし、マイク操作部１０は複数の操作で前記機器を操作可能としたものである。【選択図】図５
2014123878.tif 000002
【特許請求の範囲】
【請求項１】
少なくとも１つ以上のボタンスイッチからなる操作部と、音声を入力するためのマイクと、前記マイクを操作するボタンスイッチからなるマイク操作部と、前記マイクより入力した音声を解析する音声認識制御部と、前記音声認識制御部の認識結果を送信データに変換する制御部と、状態を表示する表示部と、送信データを送信する送信部とを備え、機器を遠隔操作する遠隔操作装置において、前記操作部は１度の操作で前記機器を操作可能とし、前記マイク操作部は複数の操作で前記機器を操作可能としたことを特徴とする遠隔操作装置。
【請求項２】
前記マイク操作部での操作時に、音声にて操作可能なコマンドの内容を前記表示部にて表示することを特徴とする請求項１に記載の遠隔操作装置。
【請求項３】
音声認識結果を前記表示部にて表示することを特徴とする請求項２に記載の遠隔操作装置。
【請求項４】
音声を出力可能な音声出力部を設け、前記マイク操作部での操作時に、音声にて操作可能なコマンドの内容を前記音声出力部にて音声で出力することを特徴とする請求項１に記載の遠隔操作装置。
【請求項５】
音声認識結果を前記音声出力部にて音声で出力することを特徴とする請求項４に記載の遠隔操作装置。
【発明の詳細な説明】
【技術分野】
【０００１】
本発明は、機器を制御する遠隔操作装置に関する。
【背景技術】
【０００２】
従来の遠隔操作装置は、ボタンスイッチによる操作が一般的である。近年、家庭用の遠隔操作装置の機能が多機能化し、それに伴いボタンスイッチの数も増加している。
【０００３】
操作性を向上させるために、遠隔操作装置の筐体に蓋を取り付け、前記蓋が閉じた状態では、主要な機能を操作するボタンスイッチだけが操作可能となり、開いた状態では、その他の特殊な機能を操作するボタンスイッチを操作可能とするものがある。
【０００４】
つまり、前記蓋を閉じた時は、主要機能ボタンスイッチとし、前記蓋を開けた時は、特殊機能ボタンスイッチとした操作部となっている。
【０００５】
主要機能ボタンスイッチには、ユーザーの操作が容易になるよう１度の操作で機器の操作が完結するコマンドが割り当てられており、特殊機能ボタンスイッチは、ボタンスイッチを複数回操作し、機器の操作が完結するコマンドが割り当てられた遠隔操作装置であった（特許文献１を参照）。
【先行技術文献】
【特許文献】
【０００６】
【特許文献１】特開２００９−１２７９６０号公報
【発明の概要】
【発明が解決しようとする課題】
【０００７】
従来の遠隔操作装置では、特殊機能ボタンスイッチは、機器の操作が完結するまでに複数回のボタンスイッチ操作を行うという課題を有しており、複雑な操作と印象を与えてしまうといった課題があった。
【０００８】
そこで本発明は、前記問題点を解消し、ユーザーの操作負担を軽減させることが可能な遠隔操作装置を提供する。
【課題を解決するための手段】
【０００９】
本発明の遠隔操作装置は、少なくとも１つ以上のボタンスイッチからなる操作部と、音声を入力するためのマイクと、前記マイクを操作するボタンスイッチからなるマイク操作部と、前記マイクより入力した音声を解析する音声認識制御部と、前記音声認識制御部の認識結果を送信データに変換する制御部と、状態を表示する表示部と、送信データを送信する送信部とを備え、機器を遠隔操作する遠隔操作装置において、前記操作部は１度の操作で前記機器を操作可能とし、前記マイク操作部は複数の操作で前記機器を操作可能としたものである。
【００１０】
また、前記マイク操作部での操作時に、音声にて操作可能なコマンドの内容を前記表示部にて表示するものである。
【００１１】
また、音声認識結果を前記表示部にて表示するものである。
【００１２】
また、音声を出力可能な音声出力部を設け、前記マイク操作部での操作時に、音声にて操作可能なコマンドの内容を前記音声出力部にて音声で出力するものである。
【００１３】
また、音声認識結果を前記音声出力部にて音声で出力するものである。
【発明の効果】
【００１４】
本発明は、所期の目的を達成することができ、ユーザーの操作負担を軽減させることが可能な遠隔操作装置を提供することができる。
【図面の簡単な説明】
【００１５】
【図１】本発明の第１実施形態の遠隔操作装置の構成を示す図。
【図２】同実施形態の音声認識制御部の構成を示す図。
【図３】同実施形態の音声認識制御を示すフローチャート。
【図４】同実施形態の遠隔操作装置の正面図。
【図５】同実施形態の遠隔操作装置のカバーを開いた状態の正面図。
【図６】同実施形態のメニューの階層構造を示す図。
【図７】本発明の第２実施形態の遠隔操作装置の正面図。
【発明を実施するための形態】
【００１６】
以下、本発明の第１実施形態を図１〜４に基づいて説明する。
【００１７】
本実施形態の遠隔操作装置１は、機器である風呂給湯器を操作する遠隔操作装置として説明する。図１に示すように、遠隔操作装置１は、マイク２と、操作部３と、音声認識制御部４と、制御部５と、表示部６と、送信部７と、音声出力部８と、カバー９と、マイク操作部１０とを備えている。
【００１８】
マイク２は、操作や通話に使用し、遠隔操作装置に音声を入力するものである。
【００１９】
操作部３は、遠隔操作装置１の操作を行うもので、本実施形態では、複数の操作ボタンスイッチを有している。操作ボタンスイッチの例としては、入／切ボタンスイッチ３１、ふろ自動ボタンスイッチ３２、追いだきボタンスイッチ３３、通話ボタンスイッチ３４を備えている。ボタンスイッチ３１〜３４は、カバー９に設けられている。
【００２０】
操作ボタンスイッチ３は、１度のボタンスイッチの操作で、遠隔操作装置１から機器の操作が完結するコマンドが割り当てられている。つまり、操作ボタンスイッチ３の操作に伴い、前記機器に信号を送信するコマンドである。
【００２１】
本実施形態では、入／切ボタンスイッチ３１は、機器の電源のオンとオフを切り替えるコマンドが割り当てられている。ふろ自動ボタンスイッチ３２は、風呂給湯器を制御し、湯船に所定の温度のお湯を一定量満たすコマンドが割り当てられている。追いだきボタンスイッチ３３は、風呂給湯器を制御し、湯船のお湯の温度を所定の温度とするコマンドが割り当てられている。通話ボタンスイッチ３４は、この遠隔操作装置１とは、異なる別の遠隔操作装置と通話可能に制御するコマンドが割り当てられている。
【００２２】
マイク操作部１０は、遠隔操作装置１の音声認識操作を行うもので、本実施形態では、機械的なボタンスイッチである。このマイク操作部１０である音声認識開始ボタンスイッチ１０は、カバー９の背後に設けられており、カバー９を開くと露出するものである。音声認識開始ボタンスイッチ１０は、マイク２を操作し音声入力可能とするボタンスイッチである。
【００２３】
マイク操作部１０である音声認識開始ボタンスイッチ１０は、特殊機能を制御するもの、例えば、複数の選択肢の中から選択が必要な操作を行うものであり、音声認識によって、複雑なボタンスイッチの操作を行うことなく、遠隔操作装置１を操作可能としたものである。つまり、２回以上の選択した後に、前記機器に信号を送信するコマンドである。
【００２４】
音声認識制御部４は、マイク２より入力した音声を解析するものである。音声認識制御部４は、図２で示すように、音声認識制御部４は、音声データ入力部４１と、音声データ認識判定部４２と、音声データ記憶部４３と、出力判定部４４と、音声出力生成部４５と、画面表示生成部４６とを備えている。
【００２５】
音声認識制御部４は、マイク２にて入力された音声を音声データ入力部４１にて処理し、音声データ認識判定部４２にて、ＲＯＭ（リードオンリーメモリー）等からなる音声データ記憶部４３の記憶してある音声データと照合し、入力された音声データを判定する。出力判定部４４にて「音声ガイダンス」または「音声認識結果」を行うかを判定し、音声出力生成部４５にて音声データを組み立てる。また、画面表示生成部４６にて音声認識中の表示組み立てを行い、表示する。
【００２６】
制御部５は、マイクロコンピュータからなり、音声認識制御部４の認識結果を送信データに変換するものである。
【００２７】
表示部６は、本実施形態では、液晶表示素子や有機ＥＬ表示素子などからなり、ドットマトリクス状に画素を備え、文字や数字などを表示可能である。本実施形態では、表示部６が、第１〜３表示部６１〜６３の３つ備えている。この第１〜３表示部６１〜６３は、１つの表示素子を遠隔操作装置１の外装部品で区切ったものである。
【００２８】
送信部７は、送信データを赤外線信号、又は無線、又は有線にて、前記風呂給湯器に送信するものである。
【００２９】
音声出力部８は、本実施形態では、スピーカであり、動作音や警告音あるいは音声を出力することが可能である。
【００３０】
次に、図３を用いて、音声認識制御部４での処理を説明する。
【００３１】
音声認識開始ボタンスイッチ１０の操作によって、処理がスタートする。
【００３２】
ステップＳ１で、選択肢の音声ガイダンスと表示を行う。例えば、メニュー画面の階層２の場合、音声出力部８によって、「給湯温度の選択をします。３０℃から４２℃の間で選択して下さい。」と音声ガイダンスを行う。また、表示部６の第３表示部６３では、図５に示すように、「給湯温度の選択をします。３０℃から４２℃の間で選択して下さい。」と選択肢を表示する。また、第２表示部６２では、「右の項目を音声で選択して下さい。」と音声による指示であることを示すガイダンスを表示する。
【００３３】
ステップＳ２では、音声データ認識判定部４２で、マイク２から入力された音声の音声認識を実行する。例えば、ユーザーが、「３８℃」と音声で指示する。
【００３４】
ステップＳ３では、出力判定部４４で、入力された音声の音声認識結果を判定する。
【００３５】
ステップＳ４では、出力判定部４４の判定結果に基づいて、音声認識結果を音声でスピーカ８から出力する。ステップＳ２で、ユーザーが、「３８℃」と音声で指示した場合、音声出力部８によって、「給湯温度を３８℃に設定しました。」と音声で出力する。また、表示部６の第３表示部６３では、図示していないが、「給湯温度を３８℃に設定しました。」と表示し、処理が終了する。
【００３６】
なお、本実施形態では、上記の処理を音声認識制御部４にて行っていたが、音声認識以外の処理を制御部５で行っても良い。
【００３７】
以上の構成によって、ユーザーは、操作部３のボタンスイッチについて、その操作内容を知っており、素早く操作を行える。また、マイク操作部１０のボタンスイッチについて、煩わしい操作を行わずに機器の操作を行え、ユーザーの操作負担を軽減させることが可能な遠隔操作装置を提供できる。
【００３８】
さらに、ガイダンスを音声で出力したり、表示することによって、操作内容を完全に把握しきていない場合があっても、煩わしい操作を行わずに設定可能な機能や操作方法を報知することが可能となる。
【００３９】
また、遠隔操作装置１のボタンスイッチの数を削減することが可能となる。
【００４０】
次に本発明の第２実施形態を図５を用いて説明する。なお、前記実施形態と同一及び相当箇所には同一符号を付して、その詳細な説明は、省略する。
【００４１】
本発明の第２実施形態は、操作部３とマイク操作部１０を遠隔操作装置１の前面側に配置したものである。煩わしい操作をマイク操作部１０で行うことが可能となり、遠隔操作装置１に設けるボタンスイッチを削減でき、カバー９も廃止できる。
【産業上の利用可能性】
【００４２】
本発明は、音声を認識し、機器を制御する遠隔操作装置に利用可能である。
【符号の説明】
【００４３】
１        音声認識リモコン
２        マイク
３        操作部
４        音声認識制御部
５        制御部
６        表示部
７        送信部
８        音声出力部
９        カバー
１０        マイク操作部（音声認識開始ボタンスイッチ）
３１        入／切ボタンスイッチ
３２        ふろ自動ボタンスイッチ
３３        追いだきボタンスイッチ
３４        通話ボタンスイッチ
４１        音声データ入力部
４２        音声データ認識判定部
４３        音声データ記憶部
４４        出力判定部
４５        音声出力生成部
４６        画面表示生成部
６１        第１表示部
６２        第２表示部
６３        第３表示部
【図１】
2014123878.tif 000003
【図２】
2014123878.tif 000004
【図３】
2014123878.tif 000005
【図４】
2014123878.tif 000006
【図５】
2014123878.tif 000007
【図６】
2014123878.tif 000008
【図７】
2014123878.tif 000009